(57)【要約】【課題】多数の陳列物を陳列可能な陳列什器において、全体の幅寸法を抑制する。【解決手段】前方に向けて開口された開口部２１を有する物品収容部２０を有する陳列什器本体部と、物品収容部の開口部を開閉可能とする扉本体３と、扉本体３に固定されると共に陳列物を配置可能な配置部とを有する陳列什器であって、開口部２１の左縁部及び右縁部の一方が他方よりも前方に位置し、平面視にて扉本体３が陳列什器本体部の前後方向に対して傾斜した姿勢で開口部２１を閉鎖可能とされている。【選択図】図５
2019076187.tif 000002
【特許請求の範囲】
【請求項１】
前方に向けて開口された開口部を有する物品収容部を有する陳列什器本体部と、前記物品収容部の前記開口部を開閉可能とする扉本体と、前記扉本体に固定されると共に陳列物を配置可能な配置部とを有する陳列什器であって、
前記開口部の左縁部及び右縁部の一方が他方よりも前方に位置し、平面視にて前記扉本体が前記陳列什器本体部の前後方向に対して傾斜した姿勢で前記開口部を閉鎖可能とされていることを特徴とする陳列什器。
【請求項２】
前記陳列什器本体部は、前記物品収容部を左右方向に複数備え、
隣接して配置された前記開口部の開口面が平行とされている
ことを特徴とする請求項１記載の陳列什器。
【請求項３】
前記開口部の左縁部と隣接する他の前記開口部の右縁部とが前後方向における一方側に変位して配置され、
前記開口部の右縁部と隣接する他の前記開口部の左縁部とが前後方向における他方側に変位して配置されている
ことを特徴とする請求項２記載の陳列什器。
【請求項４】
前記扉本体は、前記開口部の左縁部及び右縁部のいずれか一方に蝶着されていることを特徴とする請求項１〜３いずれか一項に記載の陳列什器。
【請求項５】
前記配置部が前記扉本体の前面に対して設けられ、
前記扉本体が、前記開口部の左縁部及び右縁部のうち後方に位置する左縁部あるいは右縁部に蝶着され、
前記扉本体の前面の法線方向にて前記扉本体の側端部から前記扉本体の前方に延出された固定具を備え、
前記扉本体の前面の法線方向の前記固定具の先端位置に配置された軸部を中心として前記扉本体を前記陳列什器本体部に対して回動可能に支持する蝶番によって、扉本体が前記開口部の左縁部あるいは右縁部に蝶着されている
ことを特徴とする請求項４記載の陳列什器。
【請求項６】
前記扉本体は、左右方向の端部の一方が、前記開口部を閉鎖する閉鎖姿勢にて前記陳列什器本体部との間に隙間を形成する指掛け部とされていることを特徴とする請求項１〜５いずれか一項に記載の陳列什器。
【請求項７】
前記物品収容部が上下方向に区画され、
前記物品収容部の区画領域に合わせて前記配置部が前記扉本体に対して上下方向に配列して設けられている
ことを特徴とする請求項１〜６いずれか一項に記載の陳列什器。
【発明の詳細な説明】
【技術分野】
【０００１】
本発明は、陳列什器に関するものである。
【背景技術】
【０００２】
オフィスや公共施設等の室内空間においては、雑誌、パンフレット、カタログ、チラシ等の陳列物を陳列するための陳列什器を設置する場合が多くみられる。こうした陳列什器としては、陳列物を人々の目に触れやすいように陳列するため、陳列物の表紙等が陳列什器の前方に向けて配置されるような陳列スペースが設けられている。さらに、例えば特許文献１及び２に開示されているように、雑誌等のバックナンバやストックを収容するための物品収容部が陳列スペースの背面に設けられた陳列什器が多くみられる。
【先行技術文献】
【特許文献】
【０００３】
【特許文献１】特開２００６−２６３１２６号公報
【特許文献２】特許第４８１３１４９号公報
【発明の概要】
【発明が解決しようとする課題】
【０００４】
ところで、陳列什器は、上述のように陳列物を人々の目に触れやすいように陳列する必要があるため、陳列スペースが陳列什器の前面に陳列物が前方に向けて配置されるように設けられることが一般的である。このため、陳列什器の幅寸法は、少なくとも陳列物を前方に向けて正対させた場合の幅寸法以上に設定されている。しかしながら、多数の陳列物を陳列するために、陳列物を水平方向に配列可能とした場合には、陳列什器の幅寸法が陳列物の幅寸法の整数倍以上になり、陳列什器の全体の幅寸法が大きくなってしまう。この結果、室内空間を効率的に使用することができなくなる。
【０００５】
本発明は、上述する問題点に鑑みてなされたもので、多数の陳列物を陳列可能な陳列什器において、全体の幅寸法を抑制することを目的とする。
【課題を解決するための手段】
【０００６】
本発明は、上記課題を解決するための手段として、以下の構成を採用する。
【０００７】
第１の発明は、前方に向けて開口された開口部を有する物品収容部を有する陳列什器本体部と、上記物品収容部の上記開口部を開閉可能とする扉本体と、上記扉本体に固定されると共に陳列物を配置可能な配置部とを有する陳列什器であって、上記開口部の左縁部及び右縁部の一方が他方よりも前方に位置し、平面視にて上記扉本体が上記陳列什器本体部の前後方向に対して傾斜した姿勢で上記開口部を閉鎖可能とされているという構成を採用する。
【０００８】
本発明によれば、陳列什器本体部の物品収容部の開口部が左縁部及び右縁部の一方が他方よりも前方に位置され、さらに陳列物を配置可能な配置部が固定された扉本体が陳列什器本体部の前後方向に対して傾斜した姿勢で開口部を閉鎖可能とされている。このため、配置部に配置する陳列物を、陳列什器本体部の前後方向に正対させずに傾斜させて配置することができる。したがって、陳列什器本体部の前後方向に直交する水平方向の幅寸法を抑制することができる。
【０００９】
第２の発明は、上記第１の発明において、上記陳列什器本体部が、上記物品収容部を左右方向に複数備え、隣接して配置された上記開口部の開口面が平行とされているという構成を採用する。
【００１０】
本発明によれば、隣接した配置された開口部の開口面同士が平行となることから、各々の開口部を開閉する扉本体及び配置部を同じ方向に向けて配置することができる。このため、陳列物を同一方向に向けて陳列することができ、統一感を持って複数の陳列物を陳列することが可能となる。
【００１１】
第３の発明は、上記第２の発明において、上記開口部の左縁部と隣接する他の上記開口部の右縁部とが前後方向における一方側に変位して配置され、上記開口部の右縁部と隣接する他の上記開口部の左縁部とが前後方向における他方側に変位して配置されているという構成を採用する。
【００１２】
本発明によれば、一方の開口部の開口面に連続するように他方の開口部の開口面を配置する場合と比較して、陳列什器の前後方向の寸法を抑えることが可能となる。このため、陳列什器の全体の奥行寸法を抑制することが可能となる。
【００１３】
第４の発明は、上記第１〜第３いずれかの発明において、上記扉本体が、上記開口部の左縁部及び右縁部のいずれか一方に蝶着されているという構成を採用する。
【００１４】
本発明によれば、扉本体が什器本体部に蝶着されているため、扉本体を小さな力で容易に開閉することが可能となる。
【００１５】
第５の発明は、上記第４の発明において、上記配置部が上記扉本体の前面に対して設けられ、上記扉本体が、上記開口部の左縁部及び右縁部のうち後方に位置する左縁部あるいは右縁部に蝶着され、上記扉本体の前面の法線方向にて上記扉本体の側端部から上記扉本体の前方に延出された固定具を備え、上記扉本体の前面の法線方向の上記固定具の先端位置に配置された軸部を中心として上記扉本体を上記陳列什器本体部に対して回動可能に支持する蝶番によって、扉本体が上記開口部の左縁部あるいは右縁部に蝶着されているという構成を採用する。
【００１６】
本発明によれば、扉本体の前面の法線方向にて扉本体の側端部から扉本体の前方に延出された固定具の先端位置を中心として扉本体が回動されるため、扉本体を開放した場合に、扉本体の蝶着側の側端部が陳列什器本体部に干渉することを防止することができる。
【００１７】
第６の発明は、上記第１〜第５いずれかの発明において、上記扉本体が、左右方向の端部の一方が、上記開口部を閉鎖する閉鎖姿勢にて上記陳列什器本体部との間に隙間を形成する指掛け部とされているという構成を採用する。
【００１８】
本発明によれば、指掛け部に指を掛けて扉本体を回動させることができるため、扉本体を容易に開閉することが可能となる。
【００１９】
第７の発明は、上記第１〜第６いずれかの発明において、上記物品収容部が上下方向に区画され、上記物品収容部の区画領域に合わせて上記配置部が上記扉本体に対して上下方向に配列して設けられているという構成を採用する。
【００２０】
本発明によれば、物品収容部が上下方向に区画されているため、１つの物品収容部に対して複数種類の物品を区画して収納することができる。さらに、区画領域に合わせて複数の配置部が設けられているため、配置部に配置される陳列物に合わせて各々の区画領域に物品を収容することが可能となる。
【発明の効果】
【００２１】
本発明によれば、陳列什器本体部の前後方向に直交する水平方向の幅寸法を抑制することができるため、多数の陳列物を陳列可能な陳列什器において、全体の幅寸法を抑制し、室内空間を効率的に使用することが可能となる。
【図面の簡単な説明】
【００２２】
【図１】本発明の一実施形態における陳列什器の概略構成を示す斜視図である。
【図２】本発明の一実施形態における陳列什器の正面図である。
【図３】本発明の一実施形態における陳列什器の側面図である。
【図４】図１のＡ−Ａ断面図である。
【図５】図４に示す扉本体３の拡大図である。
【図６】本発明の一実施形態における陳列什器の変形例の概略構成を示す斜視図である。
【発明を実施するための形態】
【００２３】
以下、図面を参照して、本発明に係る陳列什器の一実施形態について説明する。なお、以下の図面において、各部材を認識可能な大きさとするために、各部材の縮尺を適宜変更している。
【００２４】
図１は、本実施形態の陳列什器１の概略構成を示す斜視図である。図２は、本実施形態の陳列什器１の正面図である。図３は、本実施形態の陳列什器１の側面図である。図４は、図１のＡ−Ａ断面図である。これらの図に示すように、本実施形態の陳列什器１は、陳列什器本体部２と、扉本体３と、蝶番固定具４（固定具）と、ストッパ５と、蝶番６と、マグネットキャッチ７と、クッション部材８と、配置部９とを備えている。なお、図１等に示すように、本実施形態の陳列什器１における前後方向は、後述する裏板２ｂの表裏面に直交する方向である。また、前後方向と直交する水平方向は左右方向であり、前後方向及び左右方向と直交する方向が上下方向である。
【００２５】
陳列什器本体部２は、一対の側板２ａと、裏板２ｂと、複数の間仕切板２ｃと、底板２ｄと、天板２ｅと、複数の棚板２ｆとを備えている。側板２ａは、陳列什器本体部２の左右方向の端部の各々に配置されており、互いに表裏面を対向させるようにして左右方向に離間して配置されている。これらの側板２ａの一方の外表面から他方の外表面までの寸法が、陳列什器本体部２の幅寸法（すなわち本実施形態の陳列什器１の幅寸法）となっている。なお、図４に示すように、本実施形態の陳列什器１においては、右側に配置された側板２ａの前後寸法は、左側に配置された側板２ａの前後寸法より短く設定されている。各々の側板２ａは、後側端部が前後方向において同位置となるように配置されている。つまり、右側に配置された側板２ａの前側端部は、左側に配置された側板２ａの前側端部よりも後方に位置している。
【００２６】
裏板２ｂは、表裏面を前後方向に対して垂直になるように立設されており、両端部の各々が側板２ａの後側端部に固定されている。これらの裏板２ｂ及び側板２ａは、同一の高さ寸法とされており、下端部が載置面に対して当接されている。なお、アジャスタ等を介して裏板２ｂ及び側板２ａを載置面に当接するようにしても良い。
【００２７】
間仕切板２ｃは、２つの側板２ａの間に複数（本実施形態においては３枚）配置されており、側板２ａと平行となるように表裏面を左右方向に向けている。このような間仕切板２ｃは、隣り合う他の間仕切板２ｃあるいは側板２ａと、さらには底板２ｄ及び天板２ｅと共に物品収容部２０を形成する。本実施形態の陳列什器１においては、隣り合う間仕切板２ｃ同士、隣り合う側板２ａと間仕切板２ｃの各々によって物品収容部２０が形成されており、左右方向に配列されて、合計で４つの物品収容部２０が形成されている。各々の間仕切板２ｃは、左右方向に隣接する物品収容部２０のうち、左側の物品収容部２０の右側端部を形成し、右側の物品収容部２０の左側端部を形成している。
【００２８】
物品収容部２０は、前方に向けて開口された開口部２１を有している。ここで、本実施形態の陳列什器１においては、図４では開口部２１を仮想線により示している。この図４の仮想線から分かるように、左縁部が右縁部よりも前方に位置するように開口部２１が設定されている。より詳細には、開口部２１の左縁部の前後方向における位置が、左側の側板２ａの前後方向における前端位置とされている。また、開口部２１の右縁部の前後方向における位置が、右側の側板２ａの前後方向における前端位置とされている。これによって、各々の物品収容部２０の開口部２１の開口面は、平面視において、陳列什器本体部２の前後方向に対して右側に向けて傾斜されている。
【００２９】
なお、本実施形態の陳列什器１においては、図４に示すように、開口部２１の左縁部と隣接する他の開口部２１の右縁部とが後方側に変位して配置され、開口部２１の右縁部と隣接する他の開口部２１の左縁部とが前方側に変位して配置されている。さらに、平面視にて、全て（４つ）の物品収容部２０の開口部２１の左縁部の前後方向における位置が一致され、全ての物品収容部２０の開口部２１の右縁部の前後方向における位置が一致されている。これによって、全て（４つ）の物品収容部２０の開口部２１は、前後方向において同位置に配置されている。
【００３０】
ただし、上述のように、物品収容部２０の一部を形成する間仕切板２ｃは、左右方向に隣接する物品収容部２０のうち、左側の物品収容部２０の右側端部を形成し、右側の物品収容部２０の左側端部を形成している。このため、間仕切板２ｃの前後寸法は、間仕切板２ｃの前端位置が開口部２１の左縁部位置に一致する寸法に設定されている。
【００３１】
底板２ｄは、水平に配置された底板２ｄ、天板２ｅと、棚板２ｆとのうち最も下に配置されており、物品収容部２０の下部を形成している。天板２ｅは、底板２ｄ、天板２ｅと、棚板２ｆのうち最も上に配置されており、物品収容部２０の上部を形成している。これらの底板２ｄ及び天板２ｅは、前縁部が各々の開口部２１位置にて開口面に応じて前後方向に対して傾斜するように、平面視にて略鋸刃状の波形状とされている。
【００３２】
棚板２ｆは、各々の物品収容部２０に対して上下方向に配列されている。これらの棚板２ｆは、不図示のダボ等によって側板２ａあるいは間仕切板２ｃに対して固定されている。このような棚板２ｆは、物品収容部２０の内部空間を上下方向に複数の領域に区画している。つまり、本実施形態の陳列什器１において、各々の物品収容部２０は、上下方向に区画されている。このような陳列什器本体部２では、図４に示すように、物品収容部２０の各々の区画領域に対して雑誌のバックナンバやストック等の物品を収容することができる。
【００３３】
扉本体３は、蝶番６によって陳列什器本体部２に対して回動可能に支持されており、物品収容部２０ごとに設けられている。つまり、本実施形態の陳列什器１においては陳列什器本体部２が４つの物品収容部２０を有していることから、扉本体３も物品収容部２０に合わせて４つ設けられている。このような扉本体３は、物品収容部２０を開閉可能としている。
【００３４】
図５は、図４に示す扉本体３の拡大図である。この図に示すように扉本体３は、物品収容部２０の開口部２１を閉鎖可能な大きさを有する矩形状の板部材であり、蝶番固定具４と、ストッパ５を支持している。この板状の扉本体３は、開口部２１を閉鎖している状態で、図５に示すように、左端部が陳列什器本体部２との間に隙間Ｓを形成する大きさとされている。このような扉本体３の左端部は、扉本体３を開閉する場合に、開閉動作を行う者が指を掛ける指掛け部３ａとなっている。
【００３５】
蝶番固定具４は、平面視が略Ｌ形状の例えば金属からなる部品であり、扉本体３の右側端部に不図示のネジ等によって固定されている。この蝶番固定具４は、図５に示すように２つの平板部４ａが９０°屈曲して接続された形状とされており、扉本体３の上下方向の全域に亘って設けられている。蝶番固定具４は、一方の平板部４ａが扉本体３の背面に当接し、他の平板部４ａが扉本体３の前面の法線方向にて扉本体３の右端部から扉本体３の前方に延出されるように配置されている。このような平板部４ａは、配置部９に陳列物が載置された場合に、扉本体３の開閉によって陳列物が扉本体３の右端部側から脱落することを防止するストッパとしても機能する。
【００３６】
ストッパ５は、扉本体３の左端部側の背面に固定された部品であり、不図示のネジ等によって固定されている。このストッパ５は、図５に示すように板部材が屈曲されることによって形成されており、扉本体３の上下方向の全域に亘って設けられている。このストッパ５は、扉本体３が開口部２１を閉鎖する場合に、側板２ａあるいは間仕切板２ｃの前端面に対して当接することによって、扉本体３の回動を規制する。なお、このストッパ５が側板２ａあるいは間仕切板２ｃの前端面に対して当接した状態であっても、上述のように、扉本体３の左端部と側板２ａあるいは間仕切板２ｃの間には、指掛け部３ａを形成するための隙間Ｓが形成される。ただし、ストッパ５が扉本体３の上下方向の全域に亘って設けられているため、隙間Ｓを介して埃等が物品収容部２０に侵入することを防止することができる。
【００３７】
蝶番６は、軸部６ａと、第１固定板６ｂと、第２固定板６ｃとを備えている。軸部６ａは、第１固定板６ｂと第２固定板６ｃとの各々を回動可能に軸支する。第１固定板６ｂは、不図示のネジ等によって蝶番固定具４に固定され、第２固定板６ｃは、不図示のネジ等によって開口部２１の右縁部（すなわち間仕切板２ｃあるいは側板２ａ）に固定されている。このような蝶番６は、扉本体３の前面の法線方向の蝶番固定具４の先端位置に軸部６ａが配置されており、軸部６ａを中心として扉本体３を陳列什器本体部２に対して回動可能に支持する。つまり、本実施形態の陳列什器１においては、扉本体３が蝶番固定具４を介して蝶番６によって開口部２１の右縁部に蝶着されている。
【００３８】
この蝶番６は、例えば図２に示すように、１つの扉本体３に対して上下方向に配列されて複数（本実施形態では４つ）設けられている。これらの蝶番６によって扉本体３は、閉鎖姿勢（図５等に示す姿勢）と開放姿勢（図４の最も左側の扉本体３が示す姿勢）との間で回動可能とされている。なお、本実施形態の陳列什器１において、扉本体３の閉鎖姿勢は、平面視にて扉本体３が陳列什器本体部２の前後方向に対して傾斜した姿勢となっている。
【００３９】
マグネットキャッチ７及びクッション部材８は、図２に示すように、各々の扉本体３に対して上下一箇所ずつ、合計２つずつ設けられている。マグネットキャッチ７は、磁力によって扉本体３の閉鎖姿勢を保持するものである。また、クッション部材８は、扉本体３が陳列什器本体部２に直接接触することを防止するために、閉鎖姿勢の扉本体３と陳列什器本体部２との間に介在される。
【００４０】
配置部９は、扉本体３の前面に対して、物品収容部２０の区画領域に合わせて上下方向に配列されて複数（本実施形態においては５つ）設けられている。各々の配置部９は、図５に示すように、載置部９ａと、保護板９ｂと、締結具９ｃとを備えている。載置部９ａは、陳列物を載置するための台部であり、締結具９ｃによって保護板９ｂと共に扉本体３に固定されている。保護板９ｂは、載置部９ａの前面に締結具９ｃによって固定された透光性を有する板部材であり、例えばアクリル材によって形成されている。この保護板９ｂは、載置部９ａに載置された雑誌等の陳列物を外部から視認可能に保護かつ支持する。締結具９ｃは、載置部９ａ及び保護板９ｂを扉本体３に対して共締めすることによって固定する。
【００４１】
このような本実施形態の陳列什器１では、閉鎖姿勢の扉本体３が陳列什器１の前後方向に対して傾斜されているため、配置部９に雑誌等の陳列物を配置すると、陳列物が陳列什器１の前後方向に対して傾斜した方向に向けられる。また、閉鎖姿勢の扉本体３の指掛け部３ａに指を掛け、扉本体３の左端部をマグネットキャッチ７の吸着力以上の力で引き寄せると、扉本体３が配置部９ごと蝶番６の軸部６ａを中心として回動する。扉本体３を開放姿勢とすると、物品収容部２０が全開となり、物品収容部２０の各区画領域に対して物品を出し入れすることができる。
【００４２】
以上のような本実施形態の陳列什器１によれば、陳列什器本体部２の物品収容部２０の開口部２１の左縁部が右縁部よりも前方に位置され、さらに陳列物を配置可能な配置部９が固定された扉本体３が陳列什器本体部２の前後方向に対して傾斜した姿勢で開口部２１を閉鎖可能とされている。このため、配置部９に配置する陳列物を、陳列什器本体部２の前後方向に正対させずに傾斜させて配置することができる。したがって、陳列什器本体部２の前後方向に直交する水平方向（左右方向）の幅寸法を抑制することができる。よって、本実施形態の陳列什器１によれば、全体の幅寸法を抑制し、室内空間を効率的に使用することが可能となる。
【００４３】
また、本実施形態の陳列什器１においては、陳列什器本体部２が、物品収容部２０を左右方向に複数備え、隣接して配置された開口部２１の開口面が平行とされている。このため、各々の開口部２１を開閉する扉本体３及び配置部９を同じ方向に向けて配置することができる、陳列物を同一方向に向けて陳列することができる。したがって、本実施形態の陳列什器１によれば、統一感を持って複数の陳列物を陳列することが可能となる。
【００４４】
また、本実施形態の陳列什器１においては、開口部２１の左縁部と隣接する他の開口部２１の右縁部とが前後方向における一方側に変位して配置され、開口部２１の右縁部と隣接する他の開口部２１の左縁部とが前後方向における他方側に変位して配置されている。このため、一方の開口部２１の開口面に連続するように他方の開口部２１の開口面を配置する場合と比較して、陳列什器１の前後方向の寸法を抑えることが可能となる。したがって、本実施形態の陳列什器１によれば、全体の奥行寸法を抑制することが可能となる。
【００４５】
また、本実施形態の陳列什器１においては、扉本体３が、開口部２１の右縁部に蝶着されている。このため、扉本体３を小さな力で容易に開閉することが可能となる。
【００４６】
また、本実施形態の陳列什器１においては、配置部９が扉本体３の前面に対して設けられている。また、扉本体３が、開口部２１の左縁部及び右縁部のうち後方に位置する右縁部に蝶着され、扉本体３の前面の法線方向にて扉本体３の側端部から扉本体３の前方に延出された蝶番固定具４を備えている。さらに、扉本体３の前面の法線方向の蝶番固定具４の先端位置に配置された軸部６ａを中心として扉本体３を陳列什器本体部２に対して回動可能に支持する蝶番６によって、扉本体３が開口部２１の右縁部に蝶着されている。このため、扉本体３の前面の法線方向にて扉本体３の側端部から扉本体３の前方に延出された蝶番固定具４の先端位置を中心として扉本体３が回動されるため、扉本体３を開放した場合に、扉本体３の蝶着側の側端部が陳列什器本体部２に干渉することを防止することができる。
【００４７】
また、本実施形態の陳列什器１においては、扉本体３が、左端部が開口部２１を閉鎖する閉鎖姿勢にて陳列什器本体部２との間に隙間を形成する指掛け部３ａとされている。このため、指掛け部３ａに指を掛けて扉本体３を回動させることができるため、扉本体３を容易に開閉することが可能となる。
【００４８】
また、本実施形態の陳列什器１においては、物品収容部２０が上下方向に区画され、物品収容部２０の区画領域に合わせて配置部９が扉本体３に対して上下方向に配列して設けられている。このため、１つの物品収容部２０に対して複数種類の物品を区画して収納することができる。さらに、区画領域に合わせて複数の配置部９が設けられているため、配置部９に配置される陳列物に合わせて各々の区画領域に物品を収容することが可能となる。
【００４９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５０】
例えば、上記実施形態においては、複数領域に区画された１つの物品収容部２０に対して、単一の扉本体３が設置され、扉本体３を開放することによって上下に配列された複数の区画領域が同時に開放される構成について説明した。しかしながら、本発明はこれに限定されるものではない。例えば、図６の変形例に示すように、各々の区画領域ごとに開閉を可能とするために、扉本体３を上下方向に分割して設けるようにしても良い。このような場合には、各々の扉本体３に対して少なくとも１つの蝶番６を設置する必要がある。
【００５１】
また、上記実施形態においては、全ての物品収容部２０の開口部２１の開口面が平行で同一の方向に向けられた構成について説明した。しかしながら、本発明はこれに限定されるものでない。例えば、開口面が右斜め前方に向けられた開口部２１と、開口面が左斜め前方に向けられた開口部２１とを備える構成を採用しても良い。つまり、開口部の右縁部が左縁部よりも前方に位置する物品収容部を備える構成を採用することも可能である。この場合、扉本体３の閉鎖姿勢が、設けられた物品収容部２０に応じて異なるものとなる。より詳細には、開口面が右斜め前方に向けられた開口部２１を有する物品収容部２０に設けられた扉本体３と、開口面が左斜め前方に向けられた開口部２１に設けられた扉本体３とは、平面視において閉鎖姿勢が異なることとなる。このため、陳列物を陳列する箇所によって異なる方向に向けて配置することができる。なお、全ての物品収容部２０の開口部２１の開口面が左斜め前方に向けられた構成を採用することも可能である。
【００５２】
また、上記実施形態においては、物品収容部２０の開口部２１の開口面の前後方向に対する傾斜角度が同一である構成を採用した。しかしながら、本発明はこれに限定されるものではなく、他の物品収容部２０の開口部２１の開口面に対して前後方向に対する開口面の傾斜角度が異なる物品収容部を備える構成を採用することも可能である。
【００５３】
また、上記実施形態においては、蝶番６によって扉本体３を陳列什器本体部２に蝶着する構成を採用した。しかしながら、本発明はこれに限定されるものではない。例えば、扉本体３をスライドさせることによって物品収容部を開閉する構成を採用することも可能である。
【００５４】
また、上記実施形態においては、配置部９が扉本体３の外側に配置された構成について説明した。しかしながら、本発明はこれに限定されるものではない。例えば、扉本体３が透光性を有する場合には、扉本体３の内側に配置部が設けられた構成を採用することも可能である。
【００５５】
また、上記実施形態においては、物品収容部２０を複数備える構成について説明した。しかしながら、本発明はこれに限定されるものではなく、単一の物品収容部２０を備える構成を採用することも可能である。
【符号の説明】
【００５６】
１……陳列什器、２……陳列什器本体部、２ａ……側板、２ｂ……裏板、２ｃ……間仕切板、２ｄ……底板、２ｅ……天板、２ｆ……棚板、３……扉本体、３ａ……指掛け部、４……蝶番固定具（固定具）、４ａ……平板部、５……ストッパ、６……蝶番、６ａ……軸部、６ｂ……第１固定板、６ｃ……第２固定板、７……マグネットキャッチ、８……クッション部材、９……配置部、９ａ……載置部、９ｂ……保護板、９ｃ……締結具、２０……物品収容部、２１……開口部、Ｓ……隙間
【図１】
2019076187.tif 000003
【図２】
2019076187.tif 000004
【図３】
2019076187.tif 000005
【図４】
2019076187.tif 000006
【図５】
2019076187.tif 000007
【図６】
2019076187.tif 000008